(57)【要約】  無線通信装置（１００、１００’）は、電話インタフェース（１２０、１２０’）と、キーボード（５００）と、デジタルカメラレンズ（２３０）とを備え、ユーザがモードを切り換えることができるスイベル機構を有する単一の機械的な仕組みによって、携帯性及び操作性を向上させている。好ましくは、第１の状態のとき、無線通信装置は第１のモードで動作する。第２の状態のとき、無線通信装置は、第２のモードで動作する。第１のモードは、電話モードである。第２のモードは、キーボードモードである。第３のモードはカメラモードである。
2007537657.tif 000002
【特許請求の範囲】
【請求項１】
ａ．第１のインタフェースと、自らに対して垂直に回転する第１の軸とを有する略々平面の第１のパネルと、
ｂ．第２のインタフェースと、自らに対して垂直に回転する第２の回転軸とを有し、上記第１の回転軸及び上記第２の回転軸が同軸回転するように上記第１のパネルに回転可能に連結された略々平面の第２のパネルとを備え、
第１の状態のとき、上記第２のインタフェースが上記第１のパネルによって隠れ、第２の状態のとき、上記第２のインタフェースが露出する電子装置。
【請求項２】
上記第１のパネルは、ディスプレイを備え、当該電子装置が第１の状態のとき、上記第１のインタフェースは、該ディスプレイを制御し、当該電子装置が第２の状態のとき、上記第２のインタフェースは、該ディスプレイを制御することを特徴とする請求項１記載の電子装置。
【請求項３】
上記第１のパネルは、ディスプレイを備え、当該電子装置が第１の状態のとき、該ディスプレイには、上記第１のインタフェースにおいて生成されたエントリが表示され、当該電子装置が第２の状態のとき、該ディスプレイには、上記第２のインタフェースにおいて生成されたエントリが表示されることを特徴とする請求項１記載の電子装置。
【請求項４】
上記第１のパネルは、ディスプレイを備え、当該電子装置が第１の状態のとき、該ディスプレイには、上記第１のインタフェースにおいて生成されたエントリが表示され、当該電子装置が第２の状態のとき、該ディスプレイには、上記第１のインタフェース及び上記第２のインタフェースにおいて生成されたエントリが表示されることを特徴とする請求項１記載の電子装置。
【請求項５】
当該電子装置は、第１の状態のとき、第１のモードで動作し、当該電子装置は、第２の状態のとき、第２のモードで動作することを特徴とする請求項１記載の電子装置。
【請求項６】
上記第１のパネルは、上記第２のパネルに動作可能に連結され、電子データの交換を可能にすることを特徴とする請求項１記載の電子装置。
【請求項７】
当該電子装置は、手に持てる大きさの携帯型機器であることを特徴とする請求項１記載の電子装置。
【請求項８】
上記第１のパネルは、上面及び背面を更に備え、該第１のパネルの上面は、上記ディスプレイ及び上記第１のインタフェースを有し、該第１のパネルの背面は、係合凸部を備えることを特徴とする請求項１記載の電子装置。
【請求項９】
上記第２のパネルは、係合凹部を備えることを特徴とする請求項８記載の電子装置。
【請求項１０】
当該電子装置が第１の状態及び第２の状態の何れか一方のとき、上記係合凹部に上記係合凸部が嵌合することを特徴とする請求項９記載の電子装置。
【請求項１１】
上記第１のパネルは、上面及び背面を更に備え、該第１のパネルの上面は、上記ディスプレイ及び上記第１のインタフェースを備え、上記第１のパネルの背面は、係合凹部を備えることを特徴とする請求項１記載の電子装置。
【請求項１２】
上記第２のパネルは、係合凸部を更に備えることを特徴とする請求項１１記載の電子装置。
【請求項１３】
当該電子装置が第１の状態及び第２の状態の何れか一方のとき、上記係合凸部が上記係合凹部に嵌合することを特徴とする請求項１２記載の電子装置。
【請求項１４】
ａ．ディスプレイ及び電話インタフェースを有する上面と、背面と、第１の回転軸とを有する第１のパネルと、
ｂ．キーボードと、第２の回転軸とを有し、第１の状態においては、該キーボードが上記第１のパネルによって隠れ、第２の状態においては、該キーボードが露出するように、上記第１のパネルに回転可能に連結された第２のパネルであって、上記第１の状態のとき、上記電話インタフェースにおいて生成されたエントリが上記ディスプレイに表示され、上記第２の状態のときに、上記キーボードにおいて生成されたエントリが上記ディスプレイに表示される第２のパネルと、
ｃ．上記第１のパネルの背面に配設され、上記第１の状態のとき、上記第２のパネルによって隠され、第３の状態のとき、露出するデジタルカメラレンズとを備える無線通信装置。
【請求項１５】
第２の状態のとき、上記キーボード及び上記電話インタフェースの両方において生成されたエントリが上記ディスプレイに表示されることを特徴とする請求項１４記載の無線通信装置。
【請求項１６】
第３の状態のとき、上記キーボードが隠されることを特徴とする請求項１４記載の無線通信装置。
【請求項１７】
上記第２のパネルは、第１の方向に回転し、上記第１の状態から、上記第２及び第３の状態に切り換わることを特徴とする請求項１４記載の無線通信装置。
【請求項１８】
上記キーボードは、ＱＷＥＲＴＹ配列であることを特徴とする請求項１４記載の無線通信機。
【請求項１９】
当該無線通信装置が第２の状態のとき、上記第２のパネルは、上記第１のパネルに対して略々１８０度回転していることを特徴とする請求項１４記載の無線通信装置。
【請求項２０】
上記第２のパネルは、第１の方向に回転して上記第１の状態から上記第２の状態に切り換わり、上記第１の方向とは反対方向である第２の方向に回転して、上記第１の状態から上記第３の状態に切り換わることを特徴とする請求項１４記載の無線通信装置。
【請求項２１】
当該無線通信装置は、第１の状態のとき、第１のモードで動作し、第２の状態のとき、第２のモードで動作し、第３の状態のとき、第３のモードで動作することを特徴とする請求項１４記載の無線通信装置。
【請求項２２】
上記第１のモードは、電話モードであり、上記第２のモードは、キーボードモードであり、上記第３のモードは、カメラモードであることを特徴とする請求項２１記載の無線通信装置。
【請求項２３】
上記第３の状態のとき、上記電話インタフェースに配設されたボタンによって、上記カメラレンズに接続されたデジタルカメラが制御されることを特徴とする請求項２２記載の無線通信装置。
【請求項２４】
上記第３のモードでは、上記カメラレンズが撮像した画像が上記ディスプレイに表示されることを特徴とする請求項１４記載の無線通信装置。
【請求項２５】
上記第１のパネルの上面は、上記ディスプレイ及び上記第１のインタフェースを備え、上記第１のパネルの背面は、係合凸部を備えることを特徴とする請求項１４記載の無線通信装置。
【請求項２６】
上記第２のパネルは、係合凹部を備えることを特徴とする請求項２５記載の無線通信装置。
【請求項２７】
当該無線通信装置が上記第１の状態、第２の状態及び第３の状態の何れか１つの状態において、上記係合凹部に上記係合凸部が嵌合することを特徴とする請求項２６記載の無線通信装置。
【請求項２８】
上記第１のパネルの上面は、上記ディスプレイ及び上記第１のインタフェースを備え、上記第１のパネルの背面は、係合凹部を備えることを特徴とする請求項１４記載の無線通信装置。
【請求項２９】
上記第２のパネルは、係合凸部を備えることを特徴とする請求項２８記載の無線通信装置。
【請求項３０】
当該無線通信装置が上記第１の状態、第２の状態及び第３の状態の何れか１つの状態において、上記係合凹部に上記係合凸部が嵌合することを特徴とする請求項２９記載の無線通信装置。
【発明の詳細な説明】
【技術分野】
【０００１】
本発明は、電子装置及び無線通信装置に関する。詳しくは、本発明は、携帯電話機、デジタルカメラレンズ及びキーボードが統合された手に持てる大きさの携帯機器に関する。
【背景技術】
【０００２】
携帯電話機は、現代のモバイル社会において、コミュニケーションの手段として、人気が高まっている。デジタルカメラレンズを搭載することによって、ユーザが画像を介して情報を交換することができる携帯電話機も市販されている。更に、携帯情報端末インタフェースを搭載した携帯電話機の登場によって、ユーザは、ウェブにアクセスしたり、電子メールを送受信したり、スケジュールを管理したりすることができるようになった。しかしながら、従来の多機能の携帯電話機は、嵩高く、複雑で、ユーザにとって操作が難しい。しかも、従来の多機能の携帯電話機では、単一の機械的な変形動作によっては、全ての機能に容易にアクセスできない。これらの問題点から、従来の多機能の携帯電話機は、煩雑であり、平均的な携帯電話機のユーザの様々な要求に応じきれない。
【発明の開示】
【発明が解決しようとする課題】
【０００３】
そこで、本発明の目的は、デジタルカメラレンズ及びキーボードを搭載した携帯電話機インタフェースをユーザフレンドリな携帯型機器に効果的に統合することである。更に、本発明の目的は、上述した問題を解決し、ユーザによる１回の機械的な動作で、機能モードを切り換えることができる、多機能の携帯電話機を提供することである。
【課題を解決するための手段】
【０００４】
本発明に係る電子装置は、第１のインタフェースと、自らに対して垂直に回転する第１の軸とを有する略々平面の第１のパネルと、第２のインタフェースと、自らに対して垂直に回転する第２の回転軸とを有し、第１の回転軸及び第２の回転軸が同軸回転するように第１のパネルに回転可能に連結された略々平面の第２のパネルとを備える。第１の状態のとき、第２のインタフェースが第１のパネルによって隠れ、第２の状態のとき、第２のインタフェースが露出する。第１のパネルは、更に、ディスプレイを備える。電子装置が第１の状態のとき、第１のインタフェースがディスプレイを制御する。電子装置が第２の状態のとき、第２のインタフェースがディスプレイを制御する。これに代えて、第２の状態のとき、第１及び第２の両方のインタフェースがディスプレイを制御するようにしてもよい。電子装置が第１の状態のとき、ディスプレイには、第１のインタフェースにおいて生成されたエントリが表示される。電子装置が第２の状態のとき、ディスプレイには、第２のインタフェースにおいて生成されたエントリが表示される。これに代えて、電子装置が第２の状態のとき、ディスプレイには、第１及び第２の両方のインタフェースにおいて生成されたエントリが表示されるようにしてもよい。
【０００５】
電子装置は、第１の状態のとき、第１のモードで動作する。一方、電子装置は、第２の状態のとき、第２のモードで動作する。第１のパネルは、好ましくは、第２のパネルに動作可能に連結され、電子データの交換を可能にする。電子装置は、好ましくは、手に持てる大きさの携帯型機器（handheld portable device）である。
【０００６】
本発明の他の実施の形態においては、第１のパネルは、上面及び背面を更に備え、第１のパネルの上面は、ディスプレイ及び第１のインタフェースを有し、第１のパネルの背面は、係合凸部を備える。第２のパネルは、係合凹部を更に備える。これに代えて、第１のパネルは、上面及び背面を更に備え、第１のパネルの上面は、ディスプレイ及び第１のインタフェースを備え、第１のパネルの背面は、係合凹部を備える。この場合、第２のパネルは、係合凸部を備える。何れの変形例においても、電子装置が第１の状態及び第２の状態の何れか一方のとき、係合凸部が係合凹部に嵌合する。
【０００７】
本発明の他の側面として提供される無線通信装置は、ディスプレイ及び電話インタフェースを有する上面と、背面と、第１の回転軸とを有する第１のパネルと、キーボードと、第２の回転軸とを有し、第１の状態においては、キーボードが第１のパネルによって隠れ、第２の状態においては、キーボードが露出するように、第１のパネルに回転可能に連結された第２のパネルであって、第１の状態のとき、電話インタフェースにおいて生成されたエントリがディスプレイに表示され、第２の状態のとき、キーボードにおいて生成されたエントリがディスプレイに表示される第２のパネルと、第１のパネルの背面に配設され、第１の状態のとき、第２のパネルによって隠され、第３の状態のとき、露出するデジタルカメラレンズとを備える。本発明の他の実施の形態においては、第２の状態のとき、キーボード及び電話インタフェースの両方において生成されたエントリがディスプレイに表示される。本発明の他の実施の形態においては、第３の状態のとき、キーボードが隠される。
【０００８】
本発明の一実施の形態においては、第２のパネルは、第１の方向に回転し、これにより、無線通信装置は、第１の状態から、第２及び第３の状態に切り換わる。これに代えて、第２のパネルが第１の方向に回転すると、無線通信装置は、第１の状態から第２の状態に切り換わり、第２のパネルが第１の方向とは反対方向である第２の方向に回転すると、無線通信装置は、第１の状態から第３の状態に切り換わるようにしてもよい。
【０００９】
好ましくは、無線通信装置は、第１の状態のとき、第１のモードで動作し、第２の状態のとき、第２のモードで動作し、第３の状態のとき、第３のモードで動作する。好ましくは、第１のモードは、電話モードであり、第２のモードは、キーボードモードであり、第３のモードは、カメラモードである。キーボードは、ＱＷＥＲＴＹ配列のキーボードであってもよい。これに代えて、キーボードのキーは、アルファベット順又は他の如何なる適切な手法で配列してもよい。本発明の好ましい実施の形態においては、無線通信装置が第２の状態のとき、第２のパネルは、第１のパネルに対して略々１８０度回転している。
【００１０】
本発明の他の実施の形態においては、無線通信装置が第３の状態のとき、電話インタフェースに配設されたボタンによって、カメラレンズに接続されたデジタルカメラが制御される。
【００１１】
本発明の他の実施の形態においては、無線通信装置の第１のパネルは、上面及び背面を更に備える。第１のパネルの上面は、ディスプレイ及び第１のインタフェースを備え、第１のパネルの背面は、係合凸部を備える。この場合、第２のパネルは、係合凹部を備える。無線通信装置が第１の状態、第２の状態及び第３の状態の何れか１つの状態において、係合凹部に係合凸部が嵌合する。
【００１２】
本発明の他の実施の形態においては、第１のパネルは、上面及び背面を更に備え、第１のパネルの上面は、ディスプレイ及び第１のインタフェースを備え、第１のパネルの背面は、係合凹部を備える。この場合、第２のパネルは、係合凸部を更に備える。無線通信装置が第１の状態、第２の状態及び第３の状態の何れか１つの状態において、係合凹部に係合凸部が嵌合する。
【発明を実施するための最良の形態】
【００１３】
本発明の一実施の形態においては、本発明に基づく電子装置は、第１のインタフェースと、自らに対して垂直に回転する第１の軸とを有する略々平面の第１のパネルと、第２のインタフェースと、自らに対して垂直に回転する第２の回転軸とを有し、第１の回転軸及び第２の回転軸が同軸回転するように第１のパネルに回転可能に連結された略々平面の第２のパネルとを備える。第１の状態のとき、第２のインタフェースは、第１のパネルによって隠れ、第２の状態のとき、第２のインタフェースは、露出する。
【００１４】
第１のパネルは、更に、ディスプレイを備える。電子装置が第１の状態のとき、第１のインタフェースがディスプレイを制御する。電子装置が第２の状態のとき、第２のインタフェースがディスプレイを制御する。本発明の一実施の形態においては、第１のパネルはディスプレイを備え、電子装置が第１の状態のとき、このディスプレイには、第１のインタフェースにおいて生成されたエントリが表示される。電子装置が第２の状態のとき、ディスプレイには、第２のインタフェースにおいて生成されたエントリが表示される。これに代えて、電子装置が第２の状態のとき、ディスプレイには、第１及び第２の両方のインタフェースにおいて生成されたエントリが表示されるようにしてもよい。本発明の他の実施の形態においては、電子装置は、第１の状態のとき、第１のモードで動作し、第２の状態のとき、第２のモードで動作する。
Ｐ６
本発明の一実施の形態においては、第１のパネルは、第２のパネルに動作可能に連結され、電子データが交換される。本発明の他の実施の形態においては、電子装置は、手に持てる大きさの携帯型機器（portable handheld device）である。
【００１５】
更に他の実施の形態においては、第１のパネルは、上面及び背面を更に備え、第１のパネルの上面は、ディスプレイ及び第１のインタフェースを有し、第１のパネルの背面は、係合凸部を備える。第２のパネルは、係合凹部を更に備える。これに代えて、第１のパネルは、上面及び背面を更に備え、第１のパネルの上面は、ディスプレイ及び第１のインタフェースを有し、第１のパネルの背面は、係合凹部を備えていてもよい。この場合、第２のパネルは、係合凸部を備える。何れの変形例においても、電子装置が第１の状態、第２の状態又は第３の状態のとき、係合凸部が係合凹部に嵌合する。
【００１６】
本発明の好適な実施の形態である無線通信装置は、ディスプレイ及び電話インタフェースを有する上面と、背面と、第１の回転軸とを有する第１のパネルと、キーボードと、第２の回転軸とを有し、第１の状態においては、キーボードが第１のパネルによって隠れ、第２の状態においては、キーボードが露出するように、第１のパネルに回転可能に連結された第２のパネルであって、第１の状態のとき、電話インタフェースにおいて生成されたエントリがディスプレイに表示され、第２の状態のとき、キーボードにおいて生成されたエントリがディスプレイに表示される第２のパネルと、デジタルカメラレンズとを備える。
【００１７】
電子装置のモードは、デバイスの状態に基づいて決まる。本発明の好適な実施の形態では、電子装置が第１の状態に構成された場合、電子装置は、電話モードで動作する。第１の状態では、デジタルカメラレンズ及びキーボードが隠される。電子装置が第２の状態に構成された場合、電子装置は、キーボードモードで動作する。このため、電子装置が第２の状態にある場合、キーボードは露出する。電子機器が第３の状態に構成された場合、電子機器は、カメラモードで動作する。第３の状態では、カメラが露出する。第３の状態では、好ましくは、キーボードが隠される。
【００１８】
図１Ａ及び図１Ｂは、第１の状態にある無線通信装置１００、１００’を示している。無線通信装置１００、１００’は、ディスプレイ１１０、１１０’及び電話インタフェース１２０、１２０’を含む第１のパネル１７０、１７０’を備える。図１Ａ及び図１Ｂは、第１のパネル１７０、１７０’の上面１６０、１６０’を示している。第１のパネル１７０、１７０’は、第２のパネル３７０上に回転可能に装着されている（図３）。好ましい実施の形態においては、電話インタフェース１２０、１２０’は、コントロールボタン１３０、１３０’と、数字キーパッド１４０、１４０’と、ファンクションキー１５０、１５０’とを更に備える。コントロールボタン１３０、１３０’は、ジョイスティック又は入力キーとして動作するものであってもよい。無線通信装置１００、１００’が第１の状態のとき、電話インタフェース上に生成されたエントリがディスプレイ１１０、１１０’に表示される。数字キーパッド１４０は、コントロールボタン１３０を中心にして同心円状（図１Ａ）に配設してもよい。あるいは、数字キーパッド１４０’は、コントロールボタン１３０’を含む、従来の１２キー配列であってもよい。
【００１９】
図２は、第３の状態にある無線通信装置の背面を示している。図３に示すように、無線通信装置１００は、第１のパネル１７０及び第２のパネル３７０が、回転軸３４０を支点に回転し、第３の状態になる。無線通信装置１００に配設された第１のパネル１７０（図３）は、デジタルカメラレンズ２３０を含む背面２２０を備える。図１Ａ及び図１Ｂに示すように、無線通信装置１００、１００’が第１の状態のとき、デジタルカメラレンズ２３０（図２）は隠れる。一方、図２に示すように、無線通信装置１００が第３の状態にあるときは、デジタルカメラレンズ２３０は露出する。無線通信装置１００が第３の状態のとき、ディスプレイ１１０、１１０’（図１Ａ及び図１Ｂ）には、デジタルカメラレンズ２３０（図２）が撮像する画像が表示される。そして、ユーザは、電話インタフェース１２０、１２０’（図１Ａ及び図１Ｂ）上の所定のボタンを押すことができる。所定のボタンは、デジタルカメラレンズ２３０（図２）に動作可能に連結されたデジタルカメラを制御する。所定のボタンとは、コントロールボタン１３０’であってもよい。
【００２０】
図３は、第１の状態にある無線通信装置１００の側面図である。好ましい実施の形態においては、第１のパネル１７０は、上面１６０及び背面２２０を備える。第１のパネル１７０の背面２２０は、デジタルカメラレンズ２３０を更に備える。本発明の好ましい実施の形態においては、無線通信装置１００が第１の状態のとき、デジタルカメラレンズ２３０は、第２のパネルによって隠れる。更に、第１のパネル１７０は、回転軸３４０を支点にして、第２のパネル３７０に回転可能に連結されている。
【００２１】
図３に示すように、第１のパネル１７０の背面２２０は、１又は複数の係合凹部（receiving end）３５０を更に備える。係合凸部３３０（engaging end）及び係合凹部３５０は、無線通信装置１００がどの状態にあっても、有効になるように構成されている。好ましくは、無線通信装置１００が第１の状態、第２の状態又は第３の状態のとき係合凸部３３０が係合凹部３５０に嵌合する。第１の状態、第２の状態又は第３の状態において、適切なセンサから無線通信装置１００に信号を供給してもよい。
【００２２】
図４は、第３の状態における無線通信装置１００の側面図である。本発明の好ましい実施の形態では、第３の状態は、カメラモードである。第３の状態において、第１のパネル１７０は、上面１６０及び背面２２０を備える。第１のパネル１７０の背面２２０は、デジタルカメラレンズ２３０及び係合凹部３５０を更に備える。第１のパネル１７０は、回転軸３４０を介して、第２のパネル３７０に回転可能に連結されている。第２のパネル３７０は、係合凸部３３０を更に備える。無線通信装置１００が第３の状態にあるとき、係合凸部３３０が係合凹部３５０に嵌合する。
【００２３】
図５は、第２の状態にある無線通信装置１００を示している。好ましくは、無線通信装置１００は、第２の状態のとき、キーボードモードで動作する。本発明における好ましい実施の形態では、第２のパネル３７０は、キーボード５００を備える。第１のパネル１７０は、ディスプレイ１１０と、ファンクションキー１５０と、コントロールボタン１３０と、数字キーパッド１４０とを備える。ユーザが、第２のパネル３７０を第１のパネルから１８０度回転させると、無線通信装置１００は、第２の状態になる。無線通信装置１００が第１の状態又は第３の状態のとき、キーボード５００は隠され、無線通信装置１００が第２の状態のとき、キーボード５００は露出する。また、無線通信装置１００が第２の状態のとき、キーボード５００において生成されたエントリが、第１のパネル１７０に配設されたディスプレイ１１０に表示される。あるいは、無線通信装置１００が第２の状態のとき、キーボード５００上及び電話インタフェース１２０、１２０’上に生成されたエントリが、ディスプレイ１１０に表示される。更に、上述したように、キーボード５００を有する第２のパネル３７０は、第１のパネル１７０に回転可能に連結されており、ユーザが無線通信装置１００の第２のパネル３７０を第１のパネル１７０に対して１８０度回転させることによって、第１のモード（図１Ａ及び図１Ｂに示す電話モード）から第２のモード（図５に示すキーボードモード）に切り換えることができる。
【００２４】
図６Ａ、図６Ｂ及び図６Ｃは、第１の方向に回転することによって、第１の状態（図６Ａ）から第３の状態（図６Ｂ）にシフトする無線通信装置１００及び第１の方向とは反対の第２の方向に回転することによって第１の状態(図６Ａ）から第２の状態(図６Ｃ）にシフトする無線通信装置１００を示している。図６Ａ、図６Ｂ及び図６Ｃは、無線通信装置１００の背面図である。図６Ａに示す本発明の好ましい実施の形態では、キーボード５００（図５）及びデジタルカメラレンズ２３０(図２）が第２のパネル３７０によって隠されている状態が第１の状態である。上述したように、無線通信装置１００が第１の状態のとき、無線通信装置１００は、電話モードである。
【００２５】
次に、図６Ｂは、第３の状態にある無線通信装置１００を示している。本発明の好ましい実施の形態では、第１のパネル１７０の背面２２０（図３）は、デジタルカメラレンズ２３０を更に備える。第３の状態では、デジタルカメラレンズ２３０は露出し、すなわち、第２のパネル３７０によって隠されていない。上述したように、ユーザは、無線通信装置１００の状態を変更することによって、モードを切り換えることができる。すなわち、無線通信装置１００を第１の方向に回転させて、第１の状態（図６Ａ）から第３の状態（図６Ｂ）に変更することで、ユーザは、電話モードからカメラモードに切り換えることができる。
【００２６】
図６Ｃは、好ましい実施の形態において、キーボード５００を含む第２のパネル３７０が第１の状態（図６Ａ）から１８０度回転した第２の状態を示している。図５に示すように、無線通信装置１００が第２の状態のとき、キーボード５００上に生成されたエントリが、ディスプレイ１１０に表示される。キーボード５００は、ＱＷＥＲＴＹ配列であることが好ましい。図６Ｃに示すように、好ましい実施の形態では、第２の状態のとき、無線通信装置１００は、キーボードモードである第２のモードで動作する。すなわち、無線通信装置１００を第２の方向によって、第１の状態（図６Ａ）から第２の状態（図６Ｃ）に変更することで、ユーザは、電話モードからキーボードモードに切り換えることができる。好ましい実施の形態では、無線通信装置１００を第１の状態（図６Ａ）から第２の状態（図６Ｃ）に変更するための第２の方向とは、第１の方向とは反対の方向である。
【００２７】
図７Ａ、図７Ｂ及び図７Ｃは、図６Ａ、図６Ｂ及び図６Ｃとは対照的に、同じ方向に回転して、第１の状態（図７Ａ）から第３の状態（図７Ｂ）を経て最終的に第２の状態（図７Ｃ）に至る無線通信装置１００’の状態の変化を示している。図７Ａに示すように、無線通信装置１００’が第１の状態のときは、第２のパネル３７０’が、キーボード５００（図５）及びデジタルカメラレンズ２３０’(図７Ｂ）を隠す。そして、図７Ｂに示すように、ユーザが第２のパネル３７０’を第１の方向に回転させると、第１のパネル１７０の背面２２０’のデジタルカメラレンズ２３０’が（図３）露出する。図７Ｂは、無線通信装置１００’の第３の状態を示している。好ましくは、無線通信装置１００’が第３の位置で状態にある場合、無線通信装置１００’は、カメラモードで動作し、キーボード５００（図５）は、隠れる。
【００２８】
ユーザが第２のパネル３７０’を第１のパネル１７０（図３）に対して第１の方向に１８０°回転させると、無線通信装置１００’は、第２の状態（図７Ｃ）になる。無線通信装置１００’は、第２の状態では、キーボードモードで動作する。無線通信装置１００’がキーボードモードで動作する場合、ディスプレイ１１０（図５）には、キーボード５００（図５）おいて生成されたエントリが表示される。図３に示し上述したように、無線通信装置１００’の第２のパネル３７０’は、第１のパネル１７０に回転可能に連結され、これにより、第２のパネル３７０’は、第１の状態から１８０°回転する。図７Ｃは、第２の状態の無線通信装置１００’を示しており、ここでは、第２のパネル３７０’は、第１のパネル１７０（図３）の背面２２０’に対して１８０°回転している。
【００２９】
図８は、第２の状態（開状態）にある無線通信装置１００の正面図を示している。好適な実施の形態では、図８に示すように、第２の状態では、ユーザは、ディスプレイ１１０、コントロールボタン１３０、１３０’、数字キーパッド１４０、１４０’、キーボード５００及びファンクションキー１５０、１５０’の全てにアクセスできる。
【００３０】
図９Ａ、図９Ｂ及び図９Ｃは、図８の実施の形態の側面図を示している。図９Ａ、図９Ｂは、無線通信装置１００の第１の状態（閉状態）の側面図を示している。図９Ｃは、無線通信装置１００の第２の状態（開状態）の側面図を示している。
【００３１】
無線通信装置１００、１００’は、以下に限定されるものではないが、パーソナルコンピュータ、充電器、ヘッドホン、ＰＤＡ機器、携帯電話機、ゲームシステム、音楽再生装置等の他の機器への無線及び／又はケーブル接続を有していてもよいことは当業者にとって明らかである。更に、無線通信装置１００、１００’に、例えば、ラジオチューナ、デジタルＴＶチューナチップ、信号周波数チューナ等のチューナを組み込んでよいことも、当業者にとって明らかである。また、無線通信装置１００、１００’は、無線通信装置１００、１００’によってゲーム及びアプリケーションをダウンロード及びアップロードするためのケーブル接続、無線接続又はこの他の接続を備えていてもよい。
【００３２】
本発明の構成及び動作原理を明瞭に説明するために、様々な詳細を含む特定の実施の形態を用いて本発明を説明した。このような特定の実施の形態の説明及びその詳細は、特許請求の範囲を限定するものではない。本発明の主旨及び範囲から逸脱することなく、例示的に選択された実施の形態を変更できることは、当業者にとって明らかである。例えば、添付の図面においては、無線通信装置の係合凹部は、第１のパネルに配設され、係合凸部は、第２のパネルに配設されているが、本発明の主旨から逸脱することなく、係合凸部を第１のパネルに配設し、係合凹部を第２のパネルに配設してもよいことは、当業者にとって明らかである。
【図面の簡単な説明】
【００３３】
【図１Ａ】本発明に基づく、同心円状に配設された数字キーパッドを備え、ディスプレイ及び電話インタフェースを含む電子装置の正面図である。
【図１Ｂ】本発明に基づく、従来の１２キー配列の数字キーパッドを備え、ディスプレイ及び電話インタフェースを含む電子装置の第１の正面図である。
【図２】本発明に基づく、デジタルカメラレンズが露出する第３の状態にある無線通信装置の斜視図である。
【図３】本発明に基づく、第１の状態にある無線通信装置の、第１のパネル及び第２のパネルの側面図である。
【図４】本発明に基づく、第３の状態にある無線通信装置の第１のパネル及び第２のパネルの側面図である。
【図５】本発明に基づく、キーボードが露出した第２の状態及び幾つかの中間の状態を示す図である。
【図６Ａ】本発明に基づく、第１の状態にある無線通信装置を示す図である。
【図６Ｂ】本発明に基づく、第３の状態にある無線通信装置を示す図である。
【図６Ｃ】本発明に基づく、第２の状態にある無線通信装置を示す図である。
【図７Ａ】本発明に基づく、第１の状態にある無線通信装置を示す図である。
【図７Ｂ】本発明に基づく、第３の状態にある無線通信装置を示す図である。
【図７Ｃ】本発明に基づく、第２の状態にある無線通信装置を示す図である。
【図８】好ましい実施の形態における、第２の状態にある無線通信装置の正面図である。
【図９Ａ】第１の状態にある無線通信装置の側面図である。
【図９Ｂ】第１の状態にある無線通信装置の側面図である。
【図９Ｃ】第２の状態にある無線通信装置を示す図である。
【図１Ａ】
2007537657.tif 000003
【図１Ｂ】
2007537657.tif 000004
【図２】
2007537657.tif 000005
【図３】
2007537657.tif 000006
【図４】
2007537657.tif 000007
【図５】
2007537657.tif 000008
【図６Ａ】
2007537657.tif 000009
【図６Ｂ】
2007537657.tif 000010
【図６Ｃ】
2007537657.tif 000011
【図７Ａ】
2007537657.tif 000012
【図７Ｂ】
2007537657.tif 000013
【図７Ｃ】
2007537657.tif 000014
【図８】
2007537657.tif 000015
【図９Ａ】
2007537657.tif 000016
【図９Ｂ】
2007537657.tif 000017
【図９Ｃ】
2007537657.tif 000018
【国際調査報告】
2007537657.tif 000019
2007537657.tif 000020